(57)【要約】【目的】海岸堆砂工として従来から行われて土木構造物の主なものは突堤、離岸堤、ヘッドランドコントロール等があるが、このような従来技術は、侵食防止工法であったり海浜の安定化工法であり、侵食された海浜を積極的に養浜することはできないという問題がある。【構成】汀線に対して並行に近い状態で連続させて透過性の構造物を築造することを特徴とする。【選択図】        図１
2005002737.tif 000002
【特許請求の範囲】
【請求項１】
汀線に対して並行に連続させて透過性の構造物を築造し、波によって運ばれて浮遊している砂礫を構造物の前後に沈降堆砂させることを特徴とする海岸堆砂工法。
【請求項２】
請求項１において、構造物を、砕波帯内に設け、波によって運ばれて浮遊している砂礫の浮遊時間を長くして構造物の前後にその砂礫を沈降堆砂させることを特徴とする海岸堆砂工法。
【請求項３】
請求項１において、構造物の天端高を、入射波の越波や越流を発生させる高さとし、波によって運ばれて浮遊している砂礫の浮遊時間を長くして構造物の前後にその砂礫を沈降堆砂させることを特徴とする海岸堆砂工法。
【請求項４】
請求項１において、構造物が、波の入射角が汀線に直角に近くなるように設けることを特徴とする海岸堆砂工法。
【発明の詳細な説明】
【０００１】
【発明の属する技術分野】
本発明は、侵食された海浜を復元するための海岸堆砂工法に関する。
【０００２】
【従来の技術】
砂浜海岸において、消波構造として従来から行われて土木構造物の主なものは突堤、離岸堤、ヘッドランドコントロール等があり、これらは、波の衝撃によって発生する侵食を防止するもので、その消波の過程にそれら土木構造物の内側に長年にわたって砂礫が徐々に堆積する場合もある。
【０００３】
【発明が解決しようとする課題】
したがって、このような従来技術は、侵食防止工法であり、侵食された海浜を積極的に復元することはできない。
【０００４】
【課題を解決するための手段】
そこで本発明は、汀線に対して並行に連続させて透過性の構造物を築造し、砕波帯内に設けることにより波によって運ばれて浮遊している砂礫を構造物の前後に沈降堆砂させることを特徴とし、これによって、汀線に打ち寄せる波が自然に砕波し始めるかあるいは終了して流れに変換する時点で波のエネルギーを弱めるもので、その砕波後の波が構造物を越えたり透過したりすることにより、波の移動速度を抑え、その波によって運ばれて浮遊している砂礫の浮遊時間を長くして構造物の前後にその砂礫を沈降堆砂させることによって、侵食された海浜を復元するものである。
【０００５】
【発明の実施の形態】
以下に本発明の実施の形態例を図面を用いて説明する。
図１は説明図であり、本堆砂工法の構造物１は図示する如く、堆砂させたい海岸の汀線に連続して並行に堤状体として構築される。構造物１の堤状体は、その形状を図示する如く、断面形状がほぼ台形とするのが一般であるが、必ずしもそのような形状である必要はなく、現地の状況に応じて適宜に決定される。
【０００６】
また、設置箇所は、構造物が砕波帯内に存在するような入射状態の波浪条件となるようにするとよく、そうすることによって入射する波はほとんどが砕波中または砕波後の波となる。
また、波の入射角が汀線に直角であるとよい。しかし、この条件は、現場の状況によって決定されるものであるが、施工にあたってなるたけこの条件を満たすように施工することが望ましい。
【０００７】
ここで連続とは、従来工法の離岸堤の場合、複数基礎で築造され、隣接する離岸堤と離岸堤の間には開口部（通常離岸堤延長Ｌに対してＬ／２をとる。）を設けることになっているのに対して、開口部を設けない（小舟の出入り口は除く。
）ことである。したがって、構造物１は一連に連続しており、上記の如く、小舟の出入り口があってもそれは連続状態の概念とする。
【０００８】
なお、そのような開口部を設けた場合には、図示しないがその開口部の海側に開口部からの小舟の出入りに邪魔にならない程度の距離を離して、開口部に対向するように直線状や円弧状等に曲げた遮蔽壁を設置して波が構造物１から背後（陸側）に直接入らないようにするとよい。
【０００９】
また、並行とは、構造物１の背後（陸側）が、自然の砂浜海岸で林帯である場合、崖状海岸である場合、海岸堤防あるいは防潮護岸が築造してある場合などいかなる形状の海岸であっても原則としてその汀線に並行に築造することである。
しかし、自然状況がそのような築造に適さない場合が多々あり、そのような場合にはできる範囲内でできるだけ並行に近い状態に築造する。したがって、これらのすべての状態を含めて本発明（請求項を含む。）では並行という。
【００１０】
構造物１の構築材料は、本実施の形態例では消波用異型ブロックを用いているが、必ずしも消波用異型ブロックである必要はなく、現在容易に入手できる材料であるために利用するもので、その他の材料例としては木材、自然石、自然岩、粘土を固めたブロック等どのようなものでもよい。消波用異型ブロックは景観を損なうものであり、理想的には砂岩のように経時変化により消滅してしまうような材料であるとよく、環境良化に役立つような材料の使用がよい。
【００１１】
また、砂浜海岸では直接にブロック等を設置した場合には年月を経て沈下を招くことになる。このような状況下では、その効果が発揮できなくなるので、設置地盤に例えば蛇籠や布団籠等の沈下防止材を設置するとよく、その場合、横断敷幅は、構造物１の法尻から海側に１ｍ以上出ていれば理想的である。
【００１２】
さらに、構造物１の陸側内域に砂礫を沈降堆砂させるものであるから、構造物１の天端高は、入射波の越波や越流を多少発生させる高さでなければならない。
したがって、消波工や離岸堤より低い天端高とする。
また、透過堤であることも堆積効果に影響を与える要素となる。したがって、消波工の断面より敷幅、天端の断面が小さく設計されている。
【００１３】
これによって、構造物１に衝突後の波が構造物１の背後に透過した時点で砂礫を運搬する作用と越波した水塊が構造物１の背後に運搬した後に沈降堆積する作用の両方によって堆砂させることができる（図２参照。）。
さらに、それに加え構造物１の海側前面においても、砕波して浮遊する砂礫といったん構造物１の背後に入った海水が引くときに構造物１の隙間を抜けて通るときの海水中の砂礫が沈降して堆積が得られる（図２参照。）。図において、１点鎖線は侵食される前の海浜の状態を示す。
【００１４】
実験によると、以下のような条件が最適な条件であることを見い出した。
それは、海底勾配１／２０〜１／３０で、沖波波形勾配が０．０２５〜０．０４０の場合、砂浜等の汀線から構造物１の法尻が３．０〜５．０ｍ以内にあるように構築すると最良の結果が出た。なお、波形勾配は波高／波長で表される。
【００１５】
上記が実験上得られた最適条件であるが、実際には現場の自然条件は必ずしもそれにあてはまるものではないが、上記の如く、その条件に近づけることによってよりよい効果が得られる。
このようにして、構造物の前後に堆砂が得られるが、さらに広い領域に堆砂を得るには、図３に示す如く、経年後に第２、第３の構造物を沖側に順次に設置することにより順次堆砂させて前浜を前進させ、復元することができる。
【００１６】
【発明の効果】
以上詳細に説明した本発明によると、汀線に対して並行に連続させた透過性の構造物を築造することにより、砕波後の波が、その移動速度を抑えられ、その波によって運ばれて浮遊している砂礫の浮遊時間を長くして構造物背後に透過した時点で運搬した砂礫を堆積させる作用と、構造物を越波した水塊がその構造物の背後に砂礫を沈降堆積させる作用とにより、連続構造物の背後において砂礫を堆積させて復元させる効果を得る。
【００１７】
さらに、連続構造物の前面においても、砕波に伴って浮遊している砂礫と、いったん構造物の背後に入った海水が引くときに構造物の隙間を抜けて通るときの海水中に浮遊している砂礫が沈降して堆積が得られて復元させる効果を得る。
【図面の簡単な説明】
【図１】説明図
【図２】堆積状態を示す説明図
【図３】前浜を前進させる堆砂工法の説明図
【符号の説明】
１  構造物
【図１】
2005002737.tif 000003
【図２】
2005002737.tif 000004
【図３】
2005002737.tif 000005
【手続補正書】
【提出日】平成15年6月18日(2003.6.18)
【手続補正１】
【補正対象書類名】明細書
【補正対象項目名】０００７
【補正方法】変更
【補正の内容】
【０００７】
ここで連続とは、従来工法の離岸堤の場合、複数基で築造され、隣接する離岸堤と離岸堤の間には開口部（通常離岸堤延長Ｌに対してＬ／２をとる。）を設けることになっているのに対して、開口部を設けない（小舟の出入り口は除く。）ことである。したがって、構造物１は一連に連続しており、上記の如く、小舟の出入り口があってもそれは連続状態の概念とする。




【手続補正書】
【提出日】平成15年7月28日(2003.7.28)
【手続補正１】
【補正対象書類名】明細書
【補正対象項目名】００１３
【補正方法】変更
【補正の内容】
【００１３】
これによって、構造物１に衝突後の波が構造物１の背後に透過した時点で砂礫を運搬する作用と越波した水塊が構造物１の背後に運搬した後に沈降堆積する作用の両方によって堆砂させることができる（図１および図２参照。）。
さらに、それに加え構造物１の海側前面においても、砕波して浮遊する砂礫といったん構造物１の背後に入った海水が引くときに構造物１の隙間を抜けて通るときの海水中の砂礫が沈降して堆積が得られる（図２参照。）。図において、１点鎖線は侵食される前の海浜の状態を示す。